(57)【要約】【課題】画像形成装置に備えた複数の電源系統から給電される複数の電源部を安価に構成し、且つ、装置への給電効率を適正に制御して消費電力を低減させることのできる画像形成装置を提供する。【解決手段】画像形成処理部１１ａと第一電源系統１６ａから自身の負荷に給電する第一電源部１６とを備えた本体１と、第二電源系統２３ａから自身の負荷に給電する第二電源部２３を備え、前記本体１の機能を拡張するエンハンスメント機器２とを備えてなる画像形成装置Ａに、前記本体１及び前記エンハンスメント機器２で消費される電力を管理する電力管理部１７ａと、前記電力管理部１７ａにより管理される消費電力が前記第一電源系統１６ａの許容消費電力に収まるときに、前記第一電源部１６から前記エンハンスメント機器２の負荷に給電する給電制御部とを前記本体１に備える。【選択図】図１
2008032760.tif 000002
【特許請求の範囲】
【請求項１】
画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えてなる画像形成装置であって、
前記本体及び前記エンハンスメント機器で消費される電力を管理する電力管理部と、前記電力管理部により管理される消費電力が前記第一電源系統の許容消費電力に収まるときに、前記第一電源部から前記エンハンスメント機器の負荷に給電する給電制御部とを前記本体に備えている画像形成装置。
【請求項２】
画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えてなる画像形成装置であって、
前記本体及び前記エンハンスメント機器で消費される電力を管理する電力管理部と、前記電力管理部により管理される消費電力が前記第一電源系統の許容消費電力に収まるときに、前記第二電源系統から前記第二電源部への給電を遮断制御するとともに前記第一電源部から前記エンハンスメント機器の負荷に給電する給電制御部とを前記本体に備えている画像形成装置。
【請求項３】
前記電力管理部により管理される消費電力が前記第一電源系統の許容消費電力を超えるときに、前記給電制御部は前記第二電源系統から前記第二電源部へ給電制御する請求項２記載の画像形成装置。
【請求項４】
前記給電制御部は前記第二電源系統から前記第二電源部へ給電制御するか遮断制御するかのプリセット情報に基づいて前記第二電源部への給電を制御するように構成され、前記電力管理部により管理される消費電力が前記第一電源系統の許容消費電力を超えるときには、前記プリセット情報にかかわらず前記第二電源系統から前記第二電源部へ給電制御する請求項３記載の画像形成装置。
【請求項５】
前記許容消費電力として、第一許容消費電力と前記第一許容消費電力より小なる第二許容消費電力が設定され、前記給電制御部は、前記電力管理部により管理される消費電力が前記第二許容消費電力より小となるときに前記第二電源系統から前記第二電源部への給電を遮断制御し、前記電力管理部により管理される消費電力が前記第一許容消費電力より大となるときに前記第二電源系統から前記第二電源部へ給電制御する請求項２から４の何れかに記載の画像形成装置。
【請求項６】
前記給電制御部は前記第二電源系統から前記第二電源部への給電ラインに介装されたリレー素子をリモート制御することにより給電制御または遮断制御する請求項２から５の何れかに記載の画像形成装置。
【請求項７】
前記電力管理部により管理される消費電力は、動作モード毎に設定された消費電力テーブルデータである請求項１から６の何れかに記載の画像形成装置。
【発明の詳細な説明】
【技術分野】
【０００１】
本発明は、画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えてなる画像形成装置に関する。
【背景技術】
【０００２】
画像形成装置では、画像形成処理という本来の機能を実現する画像形成処理部を本体に備え、自動原稿搬送装置やフィニッシャー等の様々なエンハンスメント機器を本体に装着することにより、本体の機能をグレードアップさせている。
【０００３】
このようなエンハンスメント機器は画像形成装置の購入者の選択により本体に着脱自在に装着されるものであるが、本体及びエンハンスメント機器の各負荷に単一の電源系統から給電する場合には、例えばＤＣ負荷に給電するためのレギュレータの容量を大きく設定する必要があり、負荷の消費電力が小さいときにはレギュレータ変換効率が大きく低下してロスが大きくなるという問題や、多くのエンハンスメント機器を装着した複雑なシステムでは商用電源の電力容量を超過する虞があったため、画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えることにより、一台の画像形成装置でありながらも異なる電源系統から給電されるように構成されている。
【０００４】
そのような画像形成装置に対して、特許文献１には、オプションユニットの増設の有無と記録媒体の種別に応じて適切な省エネルギー処理を行う画像形成装置を提供することを目的として、給紙手段から搬送される記録媒体に画像形成手段で画像形成するとともに、本体の機能を拡張するオプションユニットが当該本体に対して着脱可能に装着され、各部に電源を供給する電源部が前記本体と前記オプションユニットの双方に設けられ、前記本体に設けられた電源制御手段で前記電源部から前記本体の各部及び前記オプションユニットへの電源の供給を制御する画像形成装置が提案されている。尚、オプションユニットは本発明のエンハンスメント機器と同義である。
【０００５】
前記電源制御手段は、記録媒体種別記憶手段に記憶された前記給紙手段に収容されている前記記憶媒体の種別とオプション接続検知手段の検知結果に基づいて、前記本体各部と前記オプションユニットへの電源の供給を制御する省エネルギー制御処理を行う、例えば、給紙手段に収容された用紙が裏紙であるときには両面複写できないためにオプションユニットである両面ユニットへの給電を停止するものである。従って、オプションユニットを使用する際には、常に第二電源部からオプションユニットへ給電されるものであり、第一電源部及び第二電源部の双方が活電状態となるものであった。
【０００６】
【特許文献１】特開２００３−１５４７８号公報
【発明の開示】
【発明が解決しようとする課題】
【０００７】
しかし、本体とエンハンスメント機器の双方に電源部を備える場合には、ＤＣ負荷に給電するためのレギュレータも夫々備える必要があるが、このようなレギュレータの出力は通常ある程度の余裕を持って設計され、常にフルパワーで動作するものではないため、負荷が低い状態では変換効率が低下するという問題や、所定の機器寿命を保証するために部品を選別する結果、コストも上昇するという問題があった。
【０００８】
本発明の目的は、上述の問題に鑑み、画像形成装置に備えた複数の電源系統から給電される複数の電源部を安価に構成し、且つ、装置への給電効率を適正に制御して消費電力を低減させることのできる画像形成装置を提供する点にある。
【課題を解決するための手段】
【０００９】
上述の目的を達成するため、本発明による画像形成装置の第一の特徴構成は、特許請求の範囲の書類の請求項１に記載した通り、画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えてなる画像形成装置であって、前記本体及び前記エンハンスメント機器で消費される電力を管理する電力管理部と、前記電力管理部により管理される消費電力が前記第一電源系統の許容消費電力に収まるときに、前記第一電源部から前記エンハンスメント機器の負荷に給電する給電制御部とを前記本体に備えている点にある。
【００１０】
上述の構成によれば、電力管理部により管理される消費電力が第一電源系統の許容消費電力に収まるときに、第一電源部からエンハンスメント機器の負荷への給電を行うため、前記第一電源部の給電効率は高まり、前記第一電源部で発生する消費電力は低減する。また、第二電源部が前記エンハンスメント機器の負荷への給電を単独で行う場合に較べて、第二電源部の電源容量を小さくすることができるため、前記第二電源部を安価に構成することができる。
【００１１】
同第二の特徴構成は、同請求項２に記載した通り、画像形成処理部を備える本体と、前記本体に設置され第一電源系統から前記本体の負荷に給電する第一電源部と、前記本体の機能を拡張するエンハンスメント機器と、前記エンハンスメント機器に設置され第二電源系統から前記エンハンスメント機器の負荷に給電する第二電源部とを備えてなる画像形成装置であって、前記本体及び前記エンハンスメント機器で消費される電力を管理する電力管理部と、前記電力管理部により管理される消費電力が前記第一電源系統の許容消費電力に収まるときに、前記第二電源系統から前記第二電源部への給電を遮断制御するとともに前記第一電源部から前記エンハンスメント機器の負荷に給電する給電制御部とを前記本体に備えている点にある。
【００１２】
上述の構成によれば、電力管理部により管理される消費電力が第一電源系統の許容消費電力に収まるときに、第二電源系統から第二電源部への給電を遮断して第一電源部からエンハンスメント機器の負荷への給電を行うため、このときに前記第二電源部で発生する消費電力はなくなり前記第一電源部の給電効率は高くなって、画像形成装置全体での消費電力は低減する。また、前記エンハンスメント機器の負荷への給電は前記第一電源部が主として行うため前記第二電源部は大きな電源容量を持つ必要はなく、更に前記第二電源部は常に動作する必要がないため連続給電を可能とする等の耐久性を持つ必要もない。よって、前記第二電源部を安価に構成することができる。
【００１３】
同第三の特徴構成は、同請求項３に記載した通り、上述の第二の特徴構成に加えて、前記電力管理部により管理される消費電力が前記第一電源系統の許容消費電力を超えるときに、前記給電制御部は前記第二電源系統から前記第二電源部へ給電制御する点にある。
【００１４】
上述の構成によれば、前記第一電源系統の許容消費電力まで前記第二電源部からの給電は行わないため、前記第二電源部で発生する消費電力を低減することができる。また、前記エンハンスメント機器の負荷への給電は前記第一電源部が主として行うため前記第二電源部は大きな電源容量を持つ必要はなく、更に前記第二電源部は常に動作する必要がないため連続給電を可能とする等の耐久性を持つ必要もない。
【００１５】
同第四の特徴構成は、同請求項４に記載した通り、上述の第三の特徴構成に加えて、前記給電制御部は前記第二電源系統から前記第二電源部へ給電制御するか遮断制御するかのプリセット情報に基づいて前記第二電源部への給電を制御するように構成され、前記電力管理部により管理される消費電力が前記第一電源系統の許容消費電力を超えるときには、前記プリセット情報にかかわらず前記第二電源系統から前記第二電源部へ給電制御する点にある。
【００１６】
前記画像形成装置の負荷に必要な電力が前記第一電源系統のみで給電可能と想定されるときに、前記第二電源部で発生する消費電力の低減を目的として前記第二電源系統から前記第二電源部へ遮断制御するプリセット情報を設定しているときにおいて、前記画像形成装置の負荷で消費される電力が想定以上となると前記画像形成装置は使用不能となるが、上述の構成によれば、前記画像形成装置が使用不能となることを防止することができる。
【００１７】
同第五の特徴構成は、同請求項５に記載した通り、上述の第二から第四の何れかの特徴構成に加えて、前記許容消費電力として、第一許容消費電力と前記第一許容消費電力より小なる第二許容消費電力が設定され、前記給電制御部は、前記電力管理部により管理される消費電力が前記第二許容消費電力より小となるときに前記第二電源系統から前記第二電源部への給電を遮断制御し、前記電力管理部により管理される消費電力が前記第一許容消費電力より大となるときに前記第二電源系統から前記第二電源部へ給電制御する点にある。
【００１８】
前記画像形成装置の動作内容により消費電力も時時刻刻と変化する。前記第二電源系統から前記第二電源部への給電制御または遮断制御を単一の値に基づいて実施すると給電制御または遮断制御が頻繁に行われ、前記第二電源部での消費電力が増大する。上述の構成によれば、前記第二電源系統から前記第二電源部への給電制御と遮断制御を異なる値に基づき実施するため前記給電制御と前記遮断制御が頻繁に切り替わることを防止し、前記第二電源部での不要な消費電力の発生を防止することができる。
【００１９】
同第六の特徴構成は、同請求項６に記載した通り、上述の第二から第五の何れかの特徴構成に加えて、前記給電制御部は前記第二電源系統から前記第二電源部への給電ラインに介装されたリレー素子をリモート制御することにより給電制御または遮断制御する点にある。
【００２０】
上述の構成によれば、前記給電制御部を構成するマイコン等から出力する小電圧・小電流からなる制御信号で前記第二電源系統から前記第二電源部への給電を制御することができる。
【００２１】
同第七の特徴構成は、同請求項７に記載した通り、上述の第一から第六の何れかの特徴構成に加えて、前記電力管理部により管理される消費電力は、動作モード毎に設定された消費電力テーブルデータである点にある。
【００２２】
前記画像形成装置の動作モード毎に動作する負荷は予め決まっており前記負荷の動作に必要な電力も定まっているため、前記第二電源系統から前記第二電源部への給電の制御に関して、前記画像形成装置の負荷での消費電力を実際に測定する必要は無い。上述の構成によれば、設定された動作モードに基づき、事前に前記第二電源系統から前記第二電源部への給電制御を行うことで、前記第一電源系統からの許容消費電力を超える電力供給を防止し、前記画像形成装置が使用不能となることを防止することができる。
【発明の効果】
【００２３】
以上、説明した通り、本発明によれば、画像形成装置に備えた複数の電源系統から給電される複数の電源部を安価に構成し、且つ、装置への給電効率を適正に制御して消費電力を低減させることのできる画像形成装置を提供することができるようになった。
【発明を実施するための最良の形態】
【００２４】
以下に本発明を適用した画像形成装置として、電子写真方式の画像形成処理部を備える本体と、前記本体の機能を拡張するエンハンスメント機器とからなるデジタル複合機における実施の形態について説明する。
【００２５】
本発明によるデジタル複合機Ａは、本体１と、前記本体１の機能を拡張するエンハンスメント機器２から構成され、前記本体１は後述する画像形成処理部を備える。
【００２６】
前記エンハンスメント機器２は、図２、図３に示すように、原稿載置部２０にセットされた一連の原稿を順次、前記画像読取部１０に搬送する原稿フィーダ２１と、後述する排出処理部から排出された用紙を束にしてステープル処理を行なう後処理部２２とからなり、前記後処理部２２は、商用電源からなる第二電源系統３１から前記エンハンスメント機器２の各部のモータやアクチュエータ等からなる負荷に給電する第二電源部２３を備える。前記原稿フィーダ２１と前記後処理部２２とは夫々、後述する本体１の備えるシステム制御部と制御情報の送受信を行って夫々を制御する制御部を備えている。
【００２７】
前記後処理部２２は、前記本体１の前記排出処理部から排出された用紙を位置決めして積み重ねて束ねるスタック部２２ａと、前記スタック部２２ａに積み重ねられた用紙の束を綴じるステープル部２２ｂを備え、ユーザからステープル処理実行の指示を受けると出力する用紙の束にステープル処理を行う。ユーザからステープル処理実行の指示がないときには、前記排出処理部から出力する用紙にステープル処理を行うことなくそのまま出力する。
【００２８】
前記本体１は、図２、図３に示すように、前記原稿フィーダ２１の下部に設けられた画像読取部１０と、前記画像読取部１０の下部に設けられ、トナー画像を形成して用紙に転写する画像形成処理部１１ａと、前記画像形成処理部１１ａに供給される用紙がセットされた給紙カセット１２と、前記給紙カセット１２から供給され画像形成処理部１１ａでトナー画像が形成された記録紙を定着処理する定着処理部１１ｂと、前記定着処理部１１ｂで処理された記録紙を排出する排出ローラを備えた排出処理部１１ｃと、ネットワークと接続したＰＣ等の外部機器から画像データを受信するネットワーク部１３と、公衆回線と接続して外部のＦＡＸ機器と画像データを送受信するＦＡＸ部１４と、前記デジタル複合機Ａの各種動作モードを設定するモード設定キーや複写動作を起動するプリントキーなどが配置された操作部１５と、商用電源からなる第一電源系統３０から前記本体１の各部のモータやアクチュエータやヒータ等からなる負荷に給電する第一電源部１６と、各部を制御する制御部（図示せず）と、前記制御部と前記第一電源部１６とを統括制御するシステム制御部１７とから構成される。尚、前記制御部及び前記システム制御部１７は、ＣＰＵと前記ＣＰＵの動作プログラムが格納されたＲＯＭと作業領域となるＲＡＭと周辺回路等から構成され、夫々の機能を協働で実行する。
【００２９】
前記操作部１５は、プリント、複写、ＦＡＸなどのジョブの種類を選択するモード選択キーや、用紙サイズ、露光レベル、枚数など画像形成プロセス条件を選択するプロセス条件選択キーや、ジョブの開始を指令するプリントキー、複写枚数などを設定するテンキー、更には前記後処理部２２の処理モードを設定する複数の設定キーなどの各種のキーが配置されたキー入力部１５ａと、キー入力部１５ａの入力状態などを表示する液晶パネルでなる表示部１５ｂなどを備えて構成される。該デジタル複合機Ａの作業内容について前記操作部１５に入力されたユーザの指示内容は前記システム制御部１７に出力され、前記システム制御部１７と各部の制御部とは制御情報を送受信して、該デジタル複合機Ａはユーザの指示内容に沿って動作する。
【００３０】
前記画像形成処理部１１ａは、図３に示すように、前記画像読取部１０で読み取った原稿画像の画像データや前記ネットワーク部１３を介してＰＣ等の外部機器から受信した出力用の画像データや前記送受信ＦＡＸ部１４を介して受信した出力用の画像データ等に基づいて感光体にＹ、Ｍ、Ｃ、Ｋの色成分からなるトナー画像を形成し、前記給紙カセット１２から収容された搬送された用紙に前記トナー画像を転写する。前記定着処理部１１ｂは前記トナー画像が転写された前記用紙を加圧ローラと所定温度に加熱された定着ローラとで圧接搬送することにより前記トナー像を加熱溶融して前記用紙に定着し、前記排出処理部１１ｃは前記定着処理部１１ｂで処理された記録紙を排出ローラにより本体外へ排出する。
【００３１】
以下に、該デジタル複写機Ａの電源系統について説明する。
【００３２】
前記原稿フィーダ２１はプラグ型の電源コネクタ（以下「ドロアコネクタ」と言う）２３ｄ２を備え、前記原稿フィーダ２１が前記本体１に設置されると、図１に示すように、前記ドロアコネクタ２３ｄ２と前記本体１の備える後述のドロアコネクタ１６ｄ２とが接続され、前記原稿フィーダ２１の備えるローラを駆動させるモータや用紙の搬送経路の制御に用いるアクチュエータや制御部のＣＰＵ等からなるＤＣ負荷への給電ラインが形成される。
【００３３】
前記後処理部２２は、図１に示すように、商用電源である第二電源系統２３ａから、前記原稿フィーダ２１と前記後処理部２２との夫々のローラを駆動させるモータや用紙の搬送経路の制御に用いるアクチュエータや制御部のＣＰＵ等からなるＤＣ負荷に給電する第二電源部２３を備え、前記第二電源部２３はシリーズレギュレータからなるＡＣ／ＤＣコンバータ２３ｃと、前記第二電源系統２３ａと前記第二電源部２３との間に設置されたＳＳＲ（Ｓｏｌｉｄ  Ｓｔａｔｅ  Ｒｅｌａｙ：ソリッドステートリレー）からなるリレー素子２３ｂと、前記ＡＣ／ＤＣコンバータ２３ｃの二次側に備えられ、前記ＡＣ／ＤＣコンバータ２３ｃへの電流の逆流を防ぐダイオード２３ｇとを備える。尚、本実施例においてリレー素子２３ｂはＳＳＲからなるものとしたが、これに限定するものではなく、例えば電極接点式のメカニカルリレーやＭＯＳ型ＦＥＴを備えたフォトＭＯＳリレーからなるものであっても良く、リモート制御によりリレーを開閉できるものであれば良い。
【００３４】
また、前記後処理部２２はプラグ型のドロアコネクタ２３ｄ１を備え、前記後処理部２２が前記本体１に設置されると、前記前記ドロアコネクタ２３ｄ１と前記本体１の備える後述のドロアコネクタ１６ｄ１とが接続され、前記本体１と前記後処理部２２は電源的に接続される。
【００３５】
前記本体１は、図１に示すように、該デジタル複合機Ａを駆動させる電源スイッチ１６ｂと、商用電源である第一電源系統１６ａから前記定着処理部１１ｂのヒータ等からなるＡＣ負荷や前記本体１の各部のローラを駆動させるモータや用紙の搬送経路の制御に用いるアクチュエータや各部を制御する制御部のＣＰＵ等からなるＤＣ負荷に給電する第一電源部１６と、該デジタル複合機Ａで消費される電力を管理するシステム制御部１７とを備える。
【００３６】
前記第一電源部１６はシリーズレギュレータからなるＡＣ／ＤＣコンバータ１６ｃを備え、前記ＡＣ負荷に対しては前記ＡＣ／ＤＣコンバータ１６ｃの一次側から電力を供給し、前記ＤＣ負荷に対しては前記ＡＣ／ＤＣコンバータ１６ｃの二次側から電力を供給する。また、前記本体１はリセプタクル型のドロアコネクタ１６ｄ１、１６ｄ２を備え、前記エンハンスメント機器２が前記本体１に設置されたときに、前記ドロアコネクタ１６ｄ１、１６ｄ２は前記後処理部２２と前記原稿フィーダ２との夫々が備える前記ドロアコネクタ２３ｄ１、２３ｄ２と接続して、前記本体１と前記エンハンスメント機器２とを電気的に接続する。尚、前記後処理部２２の前記ドロアコネクタ２３ｄ１と接続する前記ドロアコネクタ１６ｄ１は前記ＡＣ／ＤＣコンバータ１６ｃの二次側と接続した給電ケーブル１６ｅと接続し、前記原稿フィーダ２１の前記ドロアコネクタ２３ｄ２と接続する前記ドロアコネクタ１６ｄ２は前記後処理部２２の前記ＡＣ／ＤＣコンバータ２３ｃの二次側と接続した給電ケーブル２３ｆと接続する。
【００３７】
ここで、前記第二電源部２３の前記ＡＣ／ＤＣコンバータ２３ｃの二次側出力は前記第一電源部１６の前記ＡＣ／ＤＣコンバータ１６ｃの二次側出力よりも若干高く出力されるように構成され、前記ドロアコネクタ１６ｄ１と前記ＡＣ／ＤＣコンバータ１６ｃの二次側出力との間に設置されたダイオード１６ｆが前記後処理部２２から前記本体１への電流の逆流を防止する。
【００３８】
以下に、該デジタル複合機Ａの各部で消費される電力の管理について説明する。
【００３９】
該デジタル複合機Ａでカラー出力を行う際には、前記画像形成処理部１１ａは前記感光体にＹ、Ｍ、Ｃ、Ｋの色成分毎にトナー像を形成するため、単色でトナー像を形成するモノクロ出力を行うときよりも消費電力が高くなり、また形成されたトナー像の厚さもカラー出力されたときのほうが厚くなるため、定着に要する電力が高くなる等、カラー出力を行うときとモノクロ出力を行うときとでは前記画像形成処理部１１ａ及び前記定着処理部１１ｂで消費する電力は異なり、カラー出力を行うときはモノクロ出力を行うときに比べ消費電力が高い。また、出力した用紙の束にステープル処理を行うステープルモードにおいては前記後処理部２２を作動させてステープル処理を行う必要があり、ステープル処理を行わないときに較べて消費電力が増加する。換言すると、該デジタル複合機Ａで実行するジョブ内容や動作モードによって、各部で消費する電力や動作する部位が異なるため消費電力は異なる。
【００４０】
更には、同一ジョブの実行中においても時々刻々と該デジタル複合機Ａで消費される電力は異なり、例えば、前記ステープルモードにおいて、前記後処理部２２のスタック部２２ａに出力する用紙を積み重ね束ねているときと、前記ステープル部２２ｂがステープル処理を行うときとでは、消費電力が異なる。
【００４１】
そこで、前記システム制御部１７は、図４に示すように、該デジタル複合機Ａの動作モード毎に、且つ同一ジョブ実行中に各部で消費される電力を管理する消費電力テーブルデータ１７ａ１と、前記操作部１５への操作内容や前記ネットワーク部１３を介して受信した出力画像データや前記ＦＡＸ部１４を介して受信した出力画像データ等に基づくジョブを実行する該デジタル複合機Ａの動作モードを判断する動作モード判断手段１７ａ２と、前記消費電力テーブルデータ１７ａ１を参照して前記動作モード判断手段１７ａ２が判断した前記動作モードにおける該デジタル複合機Ａの消費電力を検出する消費電力検出手段１７ａ３とを備え、これらが協働して該デジタル複合機Ａの消費電力を管理する。つまり、前記システム制御部１７は、本発明による電源管理部１７ａを備える。
【００４２】
ところで、前記原稿フィーダ２１と前記後処理部２２との夫々が前記本体１に設置されると、電源系統と同様に夫々の備える図示しない制御信号用のコネクタを介して夫々の制御信号系統が接続され、前記システム制御部１７はリモート制御により前記リレー素子２３ｂの開閉を制御することができる。
【００４３】
前記システム制御部１７のリモート制御による前記リレー素子２３ｂの開閉について説明すると、前記システム制御部１７は、図１、図４に示すように、リレー素子開閉部１７ｃを備える。ＳＳＲからなる前記リレー素子２３ｂは、図５に示すように、発光ダイオード２３ｂ１と、フォトトライアック２３ｂ２を備え、前記リレー素子２３ｂを閉じて前記第二電源系統２３ａから前記第二電源部２３への電力供給を行う際には、前記リレー素子開閉部１７ｃは閉信号を送信、つまり前記発光ダイオード２３ｂ１へ電流を流し、前記閉信号により前記発光ダイオード２３ｂ１は発光し、前記発光を受けて前記フォトトライアック２３ｂ２は前記第二電源系統２３ａから前記第二電源部２３への電力供給を可能にする。前記リレー素子２３ｂを開いて前記第二電源系統２３ａから前記第二電源部２３への電力供給を遮断する際には、前記リレー素子開閉部１７ｃは開信号を送信、つまり前記発光ダイオード２３ｂ１への電流を遮断し、前記開信号により前記発光ダイオード２３ｂ１は発光を停止し、前記フォトトライアック２３ｂ２は前記第二電源系統２３ａから前記第二電源部２３への電力供給を遮断する。
【００４４】
前記リレー素子２３ｂが開状態となり前記第二電源系統２３ａから前記第二電源部２３への電力供給を遮断されると、前記第二電源部２３の前記ＡＣ／ＤＣコンバータ２３ｃの二次側出力の電圧は前記第一電源部１６の前記ＡＣ／ＤＣコンバータ１６ｃの二次側出力の電圧よりも低いため、前記ＡＣ／ＤＣコンバータ１６ｃの二次側出力から前記給電ケーブル１６ｅと前記ダイオード１６ｆと前記ドロアコネクタ１６ｄ１を介して前記エンハンスメント機器２の負荷へ電力供給が行われる。つまり、前記リレー素子開閉部１７ｃと前記給電ケーブル１６ｅと前記ダイオード１６ｆと前記ドロアコネクタ１６ｄ１とは協働して、本発明による給電制御部を構成する。
【００４５】
前記給電制御部による前記エンハンスメント機器２の負荷への給電制御について説明すると、前記リレー素子開閉部１７ｃは、図４に示すように、ユーザが前記操作部１５を操作して設定した前記第二電源系統２３ａから前記第二電源部２３へ給電制御するか遮断制御するかのプリセット情報を記憶するプリセット記憶部１７ｂに記憶された前記プリセット情報を判断するプリセット判断手段１７ｃ１を備える。ここで、前記プリセット記憶部１７ｂは前記システム制御部１７に備えられている。
【００４６】
前記プリセット情報が前記第二電源系統２３ａから前記第二電源部２３へ給電制御するものであると前記プリセット判断手段１７ｃ１が判断すると、前記リレー素子開閉部１７ｃは、前記リレー素子２３ｂへ閉信号を送信し、前記第二電源系統２３ａから前記第二電源部２３へ給電制御する。つまり、入力されるジョブ内容にかかわらず、前記給電制御部は前記第二電源部２３から前記エンハンスメント機器２の負荷に給電を行う。
【００４７】
また、前記リレー素子開閉部１７ｃは、図４に示すように、前記電力管理部１７ａの前記消費電力検出手段１７ａ３が検出した消費電力が前記第一電源系統１６ａの許容消費電力に収まるかどうかを判断する消費電力判断手段１７ｃ２を備える。ここで、前記許容消費電力は、第一許容消費電力と前記第一許容消費電力より小なる第二許容消費電力とからなる。
【００４８】
前記プリセット情報が前記第二電源系統２３ａから前記第二電源部２３への給電を遮断制御するものであると前記プリセット判断手段１７ｃ１が判断するときに、前記消費電力検出手段１７ａ３が検出した消費電力が前記第一電源系統１６ａの前記第一許容消費電力に収まると前記消費電力判断手段１７ｃ２が判断すると、前記リレー素子開閉部１７ｃは前記リレー素子２３ｂへ開信号を送信して前記第二電源系統２３ａから前記第二電源部２３への給電を遮断制御する。つまり、前記給電制御部は前記第一電源部１６から前記エンハンスメント機器２の負荷に給電する。このときの同一ジョブの実行中において前記消費電力が前記第一許容消費電力より大となるときには前記リレー素子開閉部１７ｃは前記リレー素子２３ｂへ閉信号を送信して前記第二電源系統２３ａから前記第二電源部２３へ給電制御する。つまり、前記給電制御部は前記第二電源部２３から前記エンハンスメント機器２の負荷に給電する。
【００４９】
前記プリセット情報が前記第二電源系統２３ａから前記第二電源部２３への給電を遮断制御するものであると前記プリセット判断手段１７ｃ１が判断するときに、前記消費電力検出手段１７ａ３が検出した消費電力が前記第一電源系統１６ａの前記第一許容消費電力を超えると前記消費電力判断手段１７ｃ２が判断すると、前記リレー素子開閉部１７ｃは前記プリセット情報にかかわらず前記リレー素子２３ｂへ閉信号を送信し、前記第二電源系統２３ａから前記第二電源部２３へ給電制御する。つまり、前記給電制御部は前記第二電源部２３から前記エンハンスメント機器２の負荷に給電する。このときの同一ジョブの実行中において前記消費電力が前記第二許容消費電力より小となるときには前記リレー素子開閉部１７ｃは前記リレー素子２３ｂへ開信号を送信して前記第二電源系統２３ａから前記第二電源部２３への給電を遮断制御する。つまり、前記給電制御部は前記第一電源部１６から前記エンハンスメント機器２の負荷に給電する。
【００５０】
以下に、前記給電制御部が行う前記エンハンスメント機器２の負荷への給電について、図６に示すフローチャートを用いて説明する。
【００５１】
該デジタル複合機Ａにおいてジョブの入力があると（Ｓ１）、前記プリセット判断手段１７ｃ１は前記プリセット情報を判断し（Ｓ２）、前記プリセット情報が遮断制御ではないと判断するときは（Ｓ２）、該デジタル複合機Ａに入力されるジョブ内容によらず、前記給電制御部は前記第二電源系統２３ａから前記第二電源部２３へ給電制御し（Ｓ３）、前記第二電源部２３から前記エンハンスメント機器２の負荷に給電を行い（Ｓ４）、前記プリセット情報が変更されるまでこれを維持し（Ｓ５）、前記プリセット情報が変更されると（Ｓ５）、前記プリセット記憶手段１７ｂは変更後のプリセット情報を記憶する（Ｓ６）。
【００５２】
該デジタル複合機Ａにおいてジョブの入力があると（Ｓ１）、前記プリセット判断手段１７ｃ１は前記プリセット情報を判断し（Ｓ２）、前記プリセット情報が遮断制御と判断されるときに（Ｓ２）、前記動作モード判断手段１７ａ２が前記ジョブによる動作モードを判断し（Ｓ７）、前記消費電力検出手段１７ａ３は消費電力テーブルデータ１７ａ１を参照して前記動作モードに基づく該デジタル複合機Ａの消費電力を検出する（Ｓ８）。
【００５３】
検出した前記消費電力が前記第一許容消費電力に収まるときには（Ｓ９）、前記給電制御部は前記第二電源系統２３ａから前記第二電源部２３への給電を遮断制御する（Ｓ１０）とともに前記第一電源部１６から前記エンハンスメント機器２の負荷に給電を行う（Ｓ１１）。
【００５４】
検出した前記消費電力が前記第一許容消費電力を超えるときには（Ｓ９）、前記給電制御部は前記第二電源系統２３ａから前記第二電源部２３へ給電制御して（Ｓ１５）、前記第二電源部２３から前記エンハンスメント機器２の負荷に給電を行う（Ｓ１６）。
【００５５】
前記第一電源部１６から前記エンハンスメント機器２の負荷に給電中において（Ｓ１１）、実行中のジョブ終了前に（Ｓ１２）、前記消費電力が前記第一許容消費電力に収まるときは（Ｓ９）、前記第一電源部１６から給電を維持し（Ｓ１０、Ｓ１１）、前記第一許容消費電力より大となるときには（Ｓ９）、前記給電制御部は前記第二電源系統２３ａから前記第二電源部２３へ給電制御して（Ｓ１５）、前記第二電源部２３から前記エンハンスメント機器２の負荷に給電を行う（Ｓ１６）。
【００５６】
前記第二電源部２３から前記エンハンスメント機器２の負荷に給電中において（Ｓ１６）、実行中のジョブ終了前に（Ｓ１７）、前記消費電力が前記第二許容消費電力以上となるときは（Ｓ１８）、前記第二電源部２３から給電を維持し（Ｓ１５、Ｓ１６）、前記第二許容消費電力より小となるときには（Ｓ１８）、前記給電制御部は前記第一電源系統１６ａから前記第一電源部１６への給電を遮断制御する（Ｓ１０）とともに前記第一電源部１６から前記エンハンスメント機器２の負荷に給電を行う（Ｓ１１）。
【００５７】
実行中のジョブが終了し（Ｓ１２、Ｓ１７）、ユーザによるプリセット情報の変更がなければ（Ｓ１３）、次のジョブ入力を待ち受け（Ｓ１）、ユーザによるプリセット情報の変更があれば（Ｓ１３）、前記プリセット記憶手段１７ｂは変更後のプリセット情報を記憶し（Ｓ１４）、次のジョブ入力を待ち受ける（Ｓ１）。
【００５８】
以下、別実施形態を説明する。上述の実施例では、前記電力管理部１７ａにより管理される消費電力は、動作モード毎に設定された消費電力テーブルデータ１７ａ１である構成としたが、前記第一電源部１６及び前記第二電源部２３の入力側に電力計等を備え、前記電力計等が計測した電力値に基づき前記電力管理部１７ａが消費電力を管理する構成としても良い。この場合、短時間ながら前記第二電源系統２３ａから前記第二電源部２３への給電制御が行われるため給電効率は低下し、または短時間ながら前記第一電源系統１６ａの許容消費電力を超える可能性があるが、前記システム制御部１７は前記消費電力テーブルデータ１７ａ１を備える必要がなくＲＯＭやＲＡＭ等の記憶媒体の容量を節約することができる。
【００５９】
上述の実施例では、前記第二電源部２３からＡＣ負荷への給電を行っていなかったが、前記エンハンスメント機器２にＡＣ負荷を備える機器があるときには前記第二電源部２３から前記ＡＣ負荷への給電を行う構成としても良い。この場合、前記第一電源部１６からの前記ＡＣ負荷への給電ケーブルを備え、前記給電ケーブルにリレー素子を備え、前記給電制御部が前記リレー素子を制御して前記ＡＣ負荷への給電を制御するように構成することで、消費電力が前記第一電源系統１６ａの許容消費電力に収まるときには、前記第一電源部１６から前記ＡＣ負荷への給電を行うように構成することができる。
【００６０】
上述の実施例では、前記許容消費電力として、第一許容消費電力と前記第一許容消費電力より小なる第二許容消費電力が設定され、前記給電制御部は、前記電力管理部１７ａにより管理される消費電力が前記第二許容消費電力より小となるときに前記第二電源系統２３ａから前記第二電源部２３への給電を遮断制御し、前記電力管理部１７ａにより管理される消費電力が前記第一許容消費電力より大となるときに前記第二電源系統２３ａから前記第二電源部２３へ給電制御する構成としたが、前記許容消費電力は単一の値からなるものであっても良い。この場合、前記給電制御部による給電制御にかかる負荷を軽減することができる。
【００６１】
上述の実施例では、前記給電制御部は前記第二電源系統２３ａから前記第二電源部２３へ給電制御するか遮断制御するかのプリセット情報に基づいて前記第二電源部２３への給電を制御するように構成され、前記電力管理部１７ａにより管理される消費電力が前記第一電源系統１６ａの許容消費電力を超えるときには、前記プリセット情報にかかわらず前記第二電源系統２３ａから前記第二電源部２３へ給電制御する構成としたが、前記給電制御部は給電制御に前記プリセット情報を用いない構成としても良い。この場合、前記電力管理部１７ａにより管理される消費電力が許容消費電力を超えるか否かに基づき給電制御を行うように構成することで、常に給電効率を考慮した運用を行うことができる。
【００６２】
上述の実施例では、前記給電制御部は、前記電力管理部１７ａにより管理される消費電力が前記第一電源系統１６ａの許容消費電力に収まるときに、前記第二電源系統２３ａから前記第二電源部２３への給電を遮断制御するとともに前記第一電源部１６から前記エンハンスメント機器２の負荷に給電する構成としたが、前記給電制御部は、前記電力管理部１７ａにより管理される消費電力が前記第一電源系統１６ａの許容消費電力に収まるときに、前記第一電源部１６から前記エンハンスメント機器２の負荷に給電する構成としてもよい。つまり、前記第一電源部１６から前記エンハンスメント機器２の負荷に給電を行っているときにも前記第二電源部１６からも前記エンハンスメント機器２の負荷に給電を行っても良く、この場合、給電効率は低下するが前記エンハンスメント機器２の内、安定した給電が常に必要な機器等への給電を前記第二電源部１６から行うことで、給電系統の切替がなく電圧変動等も生じないため、前記機器等を安定して動作させることができる。
【００６３】
上述の構成では、前記本体１のドロアコネクタ１６ｄ１、１６ｄ２はリセプタクル型とし、前記エンハンスメント機器２のドロアコネクタ２３ｄ１、２３ｄ２はプラグ型としたが、前記本体１のドロアコネクタ１６ｄ１、１６ｄ２はプラグ型とし、前記エンハンスメント機器２のドロアコネクタ２３ｄ１、２３ｄ２はリセプタクル型としても良い。
【００６４】
上述した複数の実施例は共に単独で構成されるものばかりではなく、本発明による作用効果を奏する範囲において適宜組み合わせるも可能である。
【００６５】
上述の実施例は何れも本発明の一実施例に過ぎず、各部の具体的構成は本発明による作用効果を奏する範囲において適宜変更することができることは言うまでもない。
【図面の簡単な説明】
【００６６】
【図１】デジタル複写機の電源系統の説明に用いる図
【図２】デジタル複写機の外観図
【図３】デジタル複合機の説明図
【図４】システム制御部の電源系統の機能ブロック図
【図５】リレー素子の説明図
【図６】給電制御部が行うエンハンスメント機器２の負荷への給電の説明に用いるフローチャート
【符号の説明】
【００６７】
１：本体
１６：第一電源部
１６ａ：第一電源系統
１６ｃ：ＡＣ／ＤＣコンバータ（シリーズレギュレータ）
１６ｄ１：ドロアコネクタ（リセプタクル型）
１６ｄ２：ドロアコネクタ（リセプタクル型）
１６ｅ：給電ケーブル
１６ｆ：ダイオード
２１：原稿フィーダ
２２：後処理部
２３：第二電源部
２３ａ：第二電源系統
２３ｂ：リレー素子
２３ｃ：ＡＣ／ＤＣコンバータ（シリーズレギュレータ）
２３ｄ１：ドロアコネクタ（プラグ型）
２３ｄ２：ドロアコネクタ（プラグ型）
２３ｇ：ダイオード
【図１】
2008032760.tif 000003
【図２】
2008032760.tif 000004
【図３】
2008032760.tif 000005
【図４】
2008032760.tif 000006
【図５】
2008032760.tif 000007
【図６】
2008032760.tif 000008